(57)【要約】      （修正有）【課題】チップの天刃の傾斜角度を任意に調節できるチップソーの研磨機と研磨方法を提供する。【解決手段】チップソー５の研磨機として架台２上のディスクグラインダー１とチップソー誘導板３とからなり、チップソー誘導板は前下がりの傾斜角度をなし、その板面に縦長の溝４と溝の対向両縁に緩嵌して自在に移動する台座と裏面に支軸のあるレバー６、台座は頂面にチップソーの取付孔を嵌合する円環が固定され、円環の中心のボルトを円環より大径の袋ナットで緊締してチップソーとの間隙を小にし、台座は溝に沿い移動するようレバーが係合され、レバーには手元付近で交差するバネ付きの補助レバー９が、補助レバーには先端付近に円柱突起１１があり、さらにチップソー誘導板の裏面に軸着する支持片１６の先端にある円柱突起１２がチップソー誘導板の側縁に当接し、バネの作動によりチップソーが時計反対方向に回動できるようチップソーの歯の彎曲１８内に嵌められてある。【選択図】図１
2005161408.tif 000002
【特許請求の範囲】
【請求項１】
架台（２）に取付けたディスクグラインダー（１）とチップソー誘導板（３）とからなり、ディスクグラインダー（１）はその研磨用円板（14）が所定の高さで垂直方向に支持されていて、チップソー誘導板（３）は研磨用円板（14）に向かい前下がりに所定の傾斜角度をなし、チップソー誘導板（３）にはその板面に研磨用円板（14）と直交方向の縦長の溝（４）と、裏面に軸着されているチップソー誘導用のレバー（６）と、レバー（６）の作動により縦長の溝（４）の対向両縁に沿い自在に移動し得る台座とがあり、台座は横断面がＨ型をなし、両側に縦長の溝（４）の対向両縁と緩嵌する凹部を有し、台座の頂面にチップソー（５）が回転可能なようにチップソー（５）の取付孔と嵌合する円環が固定されていて、円環の中心にボルトが植設されておりそれに円環より大径のキャップを螺合して緊締しチップソーとの間隙を小にしてあり、レバー（６）開放時に台座が、傾斜している縦長の溝（４）の上限に位置するよう台座にバネＡ（８）が付いており、レバー（６）には手元付近で交差し、先端付近に円柱突起（11）がある、バネＢ（10）付きの補助レバー（９）があり、また、レバー（６）には補助レバー（９）のバネＢ（10）による開放角度を制限する突起（15）があり、さらに、チップソー誘導板（３）の裏面に軸着している支持片（16）の先端にある円柱突起（12）がチップソー誘導板（３）の側縁に当接し、レバー（６）使用時、バネの作動によりチップソー（５）が時計反対方向に回動できるように付勢してあり、円柱突起（12）がチップソーの歯の彎曲（18）内に位置していることからなるチップソーの研磨機。
【請求項２】
請求項１によるチップソーの研磨機を用いて、補助レバー（９）を引き寄せたままレバー（６）を時計反対方向に若干回転して補助レバー（９）の円柱突起（11）をチップソー（５）の手近にある歯の彎曲（18）内に嵌め、補助レバー（９）を引き寄せたままレバー（６）をさらに時計反対方向に回転して、円柱突起（12）を嵌まっている歯の湾曲（18）内から隣接する時計方向の歯の彎曲（18）内に移動して嵌め、補助レバー（９）を放して補助レバー（９）の円柱突起（11）を歯の彎曲（18）内から外し、レバー（６）のみを研磨用円板（14）方向に押出してチップソー（５）のチップ（17）の天刃を作動中のディスクグラインダー（１）の研磨用円板（14）に当接して研磨時間を決め、ついでレバー（６）を元の位置に戻し、以上の研磨を繰り返すことからなるチップソーの研磨方法。
【発明の詳細な説明】
【技術分野】
【０００１】
本発明は雑草等の刈払機用チップソーの研磨機と研磨方法に関する。
【背景技術】
【０００２】
従来、草刈用にエンジン駆動のチップソーを用いた刈払機が汎用されており、通常、市販品はチップソーの円板状の歯面とチップの天刃（先端の刃面）が直角をなしているが、本発明者において、それでは切れ味が短期間に鈍化しやすく、チップの天刃がチップソーの円板状の歯の下面となす角度を鋭角にしたほうが効果的であることがわかっている。そのようにするため、手作業による目立ては容易でなく煩雑であり、さりとてチップソーの新品との交換を頻繁におこなうこともできない。
【０００３】
従来、チップソーの研磨機として特許文献１のごときものが提案されており、それによれば、チップソーが天刃研磨位置或いは腹刃研磨位置においてテーブルに着脱、かつ回転可能に支軸されていて、テーブルにはホルダーが回動可能に軸着されており、ホルダーにはディスクグラインダーが着脱可能に取着されていて、ディスクグラインダーには研磨ホイールが取着され、天刃研磨位置または腹刃研磨位置に軸支されている。そして、ディスクグラインダーに取着の研磨ホイールが天刃研磨位置に軸支されるチップソーの天刃、或いは腹刃の研磨位置に軸支されるチップソーの腹刃に当てられるようホルダーの位置決めを行うストッパーが存在している。また、テーブルには爪を軸着してバネの作用により一方向に回動できるように付勢し、チップソーの歯に当てられてチップソーが一方向にのみ回動できるようにされている研磨機が示されている。しかしながら、この研磨機は、天刃の横逃げ角或いは腹刃の横すくい角に応じて垂直方向内で研磨ホイールの向きを変え、チップソーの円板状の歯面と直交する位置でチップの天刃を研磨するというものであり、そのようにしてチップの天刃等を研磨するものは、本発明が意図する、研磨ホイールでチップの天刃がチップソーの円板状の歯の下面と傾斜をなすように研磨するものとは全く異なるので、提案されている研磨機を本発明の研磨に応用することはできない。
【特許文献１】特開平９−１５５７０１号
【発明の開示】
【発明が解決しようとする課題】
【０００４】
本発明は草刈の刈払機用チップソーの研磨機と研磨方法に関し、チップソーのチップの天刃をチップソーの円板状の歯の下面と任意の傾斜角度とすることができる研磨機と研磨方法を提供せんとするものである。
【課題を解決するための手段】
【０００５】
ここにおいて本発明者はチップソーの研磨機として、架台２に取付けたディスクグラインダー１とチップソー誘導板３とからなり、ディスクグラインダー１はその研磨用円板14が所定の高さで垂直方向に支持されていて、チップソー誘導板３は研磨用円板14に向かい前下がりに所定の傾斜角度をなし、チップソー誘導板３にはその板面に研磨用円板14と直交方向の縦長の溝４と、裏面に軸着されているチップソー誘導用のレバー６と、レバー６の作動により縦長の溝４の対向両縁に沿い自在に移動し得る台座（図示省略）とがあり、台座は横断面がＨ型をなし、両側に縦長の溝４の対向両縁と緩嵌する（ゆるやかにはめるの意）凹部を有し、台座の頂面にチップソー５が回動可能なようにチップソー５の取付孔と嵌合する円環が固定されていて、円環の中心にボルトが植設されておりそれに円環より大径のキャップを螺合して緊締し、チップソー５が回動可能なようにチップソーとの間隙を小にしてあり、レバー６開放時台座が、傾斜している縦長の溝４の上限に位置するよう台座にバネＡ８が付いており、レバー６には手元付近で交差し、先端付近に円柱突起11がある、バネＢ10付きの補助レバー９があり、また、レバー６には補助レバー９のバネＢ10による開放角度を制限する突起15があり、さらに、チップソー誘導板３の裏面に軸着している支持片16の先端にある円柱突起12がチップソー誘導板３の側縁に当接し、レバー６使用時、バネ13の作動によりチップソー５が時計反対方向に回動できるように付勢してあり、円柱突起12がチップソーの歯の彎曲18内に位置していることからなるチップソーの研磨機を見出すに至った。
【０００６】
また、チップソーの研磨方法として、上記によるチップソーの研磨機を用いて、補助レバー９を引き寄せたままレバー６を時計反対方向に若干回転して補助レバー９の円柱突起11をチップソー５の手近にある歯の彎曲18内に嵌め、補助レバー９を引き寄せたままレバー６をさらに時計反対方向に回転して、円柱突起12を嵌まっている歯の湾曲18内から隣接する時計方向の歯の彎曲18内に移動して嵌め、補助レバー９を放して補助レバー９の円柱突起11を歯の彎曲18内から外し、レバー６のみを研磨用円板14方向に押出してチップソー５のチップ17の天刃を作動中のディスクグラインダー１の研磨用円板14に当接して研磨してから、レバー６を元の位置に戻し、以上を繰り返すことからなるチップソーの研磨方法を見出すに至った。
【発明の効果】
【０００７】
草刈の刈払機用チップソーのチップ17の刃面に対し研磨してチップソーの円板状の歯の下面と任意の傾斜角度にすることができるので、チップソーの切れ味がよく連続使用期間をおよそ２倍に延ばすことができる。また、刈払われた雑草の飛散範囲が従来のものよりも狭いので刈払われた雑草の片付けが容易である。
【発明を実施するための最良の形態】
【０００８】
本発明の草刈用刈払機で使用するチップソー５の研磨具の一例を図１に示すが、この図はチップソー誘導板３の下側からみた説明用のものてある。架台２に取付けたディスクグラインダー１とチップソー誘導板３とからなり、ディスクグラインダー１はその研磨用円板14が所定の高さで垂直方向に支持されていて、研磨円板14がディスクグラインダー１の胴体の移動により図中左右に移動できるようになっている。チップソー誘導板３は研磨用円板14に向かい前下がりに所定の傾斜角度（９０度からチップ17の天刃がチップソー５の円板状の歯の下面となす角度を引いた角度に等しい）をなすよう固定し、チップソー誘導板３にはその板面に縦長の溝４と、裏面に軸着されているチップソー誘導用のレバー６と、溝４の対向両縁に遊嵌しレバー６の作動により溝４に沿い自在に移動し得る台座とがあり、台座は横断面がＨ型をなし、両側に縦長の溝４と遊嵌する凹部を有し、台座の頂面にはチップソー５が回動可能なようにチップソー５の取付孔と嵌合する円環が固定されていて、円環の中心にボルトが植設されておりそれに円環より大径のキャップを螺合して緊締し、チップソー５が回動可能なようにチップソー５との間隙を小にしてある。そして、レバー６の開放時、台座が、傾斜している縦長の溝４の上限に位置するよう台座にはバネＡ８が付いている。なお、台座の頂面の円環にチップソー５の取付孔が嵌合して台座の頂面にチップソー５が載置されるのでチップソー５が回動可能でかつ台座とともに移動可能なように台座の頂面はチップソー誘導板３の最上面よりも上の位置になるようにしておかなければならない。また、チップソー５の円板状の歯面はチップソー誘導板３の側縁の板面と接近していたほうが後述の円柱突起11や円柱突起12との係合が効果的におこなわれるので、そのため縦長の溝４はチップソー誘導板３の凹面内に形成したほうが好適である。
【０００９】
また、レバー６の移動による台座の移動、すなわち帯状片７の移動の実施例として、「台座の裏面には縦断面コの字状の帯状片７が固定されていて、帯状片７による環状内にレバー６が挿通されており、レバー６の移動により台座も移動するようにしてある。」レバー６には手元付近で交差し、先端付近に円柱突起11がある、バネＢ10付きの補助レバー９があり、また、レバー６には補助レバー９のバネＢ10による開放角度を制限する突起15（ストッパー）があり、また、チップソー誘導板３の裏面に軸着している支持片16の先端にある円柱突起12がチップソー誘導板３の側縁の所定位置に当接し、支持片16にはバネ13の作動によりチップソー５が時計反対方向に回動できるように付勢してあり、円柱突起12がチップソーの歯の彎曲18内に嵌まっている状態にしてある。
【００１０】
この状態からレバー６を研磨用円板14方向に押出してチップソー５のチップ17の天刃を作動中のディスクグラインダー１の研磨用円板14に当接して研磨するのであるが、チップ17の天刃を的確に研磨用円板14に当接させるためには、あらかじめディスクグラインダー１の胴体を図中左右に移動して研磨円板14にチップ17の天刃が当接するように調節しておく必要がある。
【００１１】
以上のごときチップソーの研磨機を用いて、補助レバー９を引き寄せたままレバー６を時計反対方向に若干回転して補助レバー９の円柱突起11をチップソー５の手近にある歯の彎曲18内にが嵌め、補助レバー９を引き寄せたままレバー６をさらに時計反対方向に回転して、円柱突起12を嵌まっている歯の湾曲18内から隣接する時計方向の歯の彎曲18内に移動して嵌め、補助レバー９を放して補助レバー９の円柱突起11を歯の湾曲18内から外し、レバー６のみを研磨用円板14方向に押出してチップソー５のチップ17の天刃を作動中のディスクグラインダー１の研磨用円板14に当接して研磨時間を決め、ついでレバー６を元の位置に戻し、以上の研磨を繰り返してチップソー５を研磨する。
【００１２】
ディスクグラインダー１は市販のものを購入して使用する。図中、説明のためディスクグラインダー１の研磨用円板14の安全カバーの図を省略してある。チップソー誘導板３を所定角度傾斜してチップ17の天刃の傾斜に合わせるため、傾斜角度は案内板をチップソー誘導板３の側面に取付けておいて好適な２０度にしてある。レバー６をバネＡ８の引く力に逆らいディスクグラインダー１の研磨用円板14方向に下げてチップの刃面17をディスクグラインダー１の研磨用円板14に当接して研磨する際は、若干の手加減を要する。すなわち、バネＡ８をレバー６の押圧緩衝用のバネとするのである。また、研磨時間は研磨の程度を確認しながら一刃に要する時間を調子をとりながら決めるようにする。
【図面の簡単な説明】
【００１３】
【図１】研磨機のチップソー誘導板を下側からみた概略説明図
【図２】チップソーにおける周辺付近の説明図
【００１４】
１  ディスクグラインダー
２  架台
３  チップソー誘導板
４  縦長の溝
５  チップソー
６  レバー
７  帯状片
８  バネＡ
９  補助レバー
10  バネＢ
11  円柱突起
12  円柱突起
13  バネＣ
14  研磨用円板
15  突起
16  支持片
17  チップ
18  チップソーの歯の湾曲
【図１】
2005161408.tif 000003
【図２】
2005161408.tif 000004
【手続補正書】
【提出日】平成16年12月15日(2004.12.15)
【手続補正１】
【補正対象書類名】明細書
【補正対象項目名】０００３
【補正方法】変更
【補正の内容】
【０００３】
従来、チップソーの研磨機として特許文献１のごときものが提案されており、それによれば、チップソーが天刃研磨位置或いは腹刃研磨位置においてテーブルに着脱、かつ回転可能に支軸されていて、テーブルにはホルダーが回動可能に軸着されており、ホルダーにはディスクグラインダーが着脱可能に取着されていて、ディスクグラインダーには研磨ホイールが取着され、天刃研磨位置または腹刃研磨位置に軸支されている。そして、ディスクグラインダーに取着の研磨ホイールが天刃研磨位置に軸支されるチップソーの天刃、或いは腹刃の研磨位置に軸支されるチップソーの腹刃に当てられるようホルダーの位置決めを行うストッパーが存在している。また、テーブルには爪を軸着してバネの作用により一方向に回動できるように付勢し、チップソーの歯に当てられてチップソーが一方向にのみ回動できるようにされている研磨機が示されている。しかしながら、この研磨機は、天刃の横逃げ角或いは腹刃の横すくい角に応じて垂直方向内で研磨ホイールの向きを変え、チップソーの円板状の歯面と直交する位置でチップの天刃を研磨するというものであり、そのようにしてチップの天刃等を研磨するものは、本発明が意図する、研磨ホイールでチップの天刃がチップソーの円板状の歯の下面と傾斜をなすように研磨する（すなわちチップの天刃がチップソーの円板下面と直交する刃面を残さないように研磨する）ものとは全く異なるので、提案されている研磨機を本願発明の研磨に応用することはできない。      
【特許文献１】特開平９−１５５７０１号
【手続補正２】
【補正対象書類名】明細書
【補正対象項目名】００１２
【補正方法】変更
【補正の内容】
【００１２】
ディスクグラインダー１は市販のものを購入して使用する。図中、説明のためディスクグラインダー１の研磨用円板14の安全カバーの図を省略してある。チップソー誘導板３を所定角度傾斜してチップ17の天刃の傾斜に合わせるため、傾斜角度は案内板をチップソー誘導板３の側面に取付けておいて好適な２０度にしてある。（したがって、段落０００８に記載の通り、チップソー誘導板３が研磨用円板14に向かい前下がりになす傾斜角度が９０度からチップ17の天刃がチップソー５の円板下面となす角度を引いた角度に等しいとあるので、天刃がチップソー５の円板下面となす角度が７０度をなすということになり、この７０度という角度がチップソー５のチップの切れ味を持続させる。）ここでレバー６をバネＡ８の引く力に逆らいディスクグラインダー１の研磨用円板14方向に下げてチップの刃面17をディスクグラインダー１の研磨用円板14に当接して研磨する際は、若干の手加減を要する。すなわち、バネＡ８をレバー６の押圧緩衝用のバネとするのである。また、研磨時間は研磨の程度を確認しながら一つの刃に要する時間を調子をとりながら決めるようにする。